(57)【要約】【課題】ライニングユニットにおいて、床面の不陸や傾きの影響を受けることなく、設置作業についての作業負荷の軽減、設置作業の効率化を図る。【解決手段】大便器８の衛生設備機器の後方に設置されるライニングユニット１において、床面２から浮いた状態で壁に設けられた板支持体３０と、板支持体３０の上面側に設けられた天板１５と、板支持体３０の前面側に設けられた前板２１と、を備えた。【選択図】図１
2017155443.tif 000002
【特許請求の範囲】
【請求項１】
便器等の衛生設備機器の後方に設置されるライニングユニットであって、
床面から浮いた状態で壁に設けられた浮部材と、
前記浮部材の上面側に設けられた天板と、
前記浮部材の前面側に設けられた前板と、を備えた
ことを特徴とするライニングユニット。
【請求項２】
前記天板に、前記前板を取り付けるための取付部が設けられており、
前記前板は、前記取付部に支持された状態で設けられている
ことを特徴とする請求項１に記載のライニングユニット。
【請求項３】
前記取付部は、前記前板に設けられた係止部を少なくとも前後方向に移動可能な状態で受け入れて前記前板を支持するものであり、前記係止部を当接させて前記前板の後側への移動を規制する当接支持部を有する
ことを特徴とする請求項２に記載のライニングユニット。
【請求項４】
前記浮部材の前面側における前記前板の左右両側の少なくとも一側に設けられた端前板をさらに備え、
前記端前板は、前記前板に対して少なくとも一部が前後方向に重なるように設けられている
ことを特徴とする請求項１〜３のいずれか１項に記載のライニングユニット。
【請求項５】
前記前板は、前記浮部材の前側における所定の取付位置に対して左右方向のスライド移動によって着脱可能に設けられている
ことを特徴とする請求項１〜４のいずれか１項に記載のライニングユニット。
【請求項６】
前記浮部材は、その後側の壁面に対して前方に向けて突出する水平状の底部を含む前方突設部を有し、
前記前板および前記端前板の少なくともいずれか一方は、取外し操作可能に設けられている
ことを特徴とする請求項１〜５のいずれか１項に記載のライニングユニット。
【発明の詳細な説明】
【技術分野】
【０００１】
本発明は、便器等の配管取り回しが必要な衛生設備機器の背面側に設置されるライニングユニットに関する。
【背景技術】
【０００２】
大便器や小便器や洗面化粧台等の配管取り回しが必要な衛生設備機器を設置するための構成として、衛生設備機器の背面側に設けられるライニングユニットがある。ライニングユニットは、衛生設備機器の背後の壁面等に対して設置され、ライニングユニットの前側に、衛生設備機器が設けられる。
【０００３】
従来、ライニングユニットとして、上下方向、左右方向、および奥行方向の各方向に沿う複数のフレーム材により枠組み構成されたフレームと、フレームの上面側に取り付けられる天板（甲板）と、フレームの前面側に取り付けられる前板とを備えた構成のものがある（例えば、特許文献１参照。）。このようなライニングユニットにおいては、フレームの内部に給水管や排水管等の配管等が配設され、フレームの前側に便器等の衛生設備機器が設けられる。
【先行技術文献】
【特許文献】
【０００４】
【特許文献１】特開２０１２−１６２９４８号公報
【発明の概要】
【発明が解決しようとする課題】
【０００５】
上述したような従来のライニングユニットにおいては、フレームが衛生設備機器の背後の壁面および床面に固定された状態で設けられる。特に、フレームが床面に対して直接的に固定される構成によれば、次のような問題がある。
【０００６】
フレームが固定される床面には、ライニングユニットの設置現場によって不陸（凹凸）や傾きが存在する場合がある。かかる場合、床面に固定されるフレームは、床面の不陸や傾きの影響を受けることから、フレームに取り付けられる天板や前板について水平状態を得るため、床面の不陸や傾きに応じてフレームを水平に設置するための調整作業が必要となる。
【０００７】
具体的には、フレームを水平に設置するための構成としては、例えば、フレームを床面に固定するための固定ネジに加え、床面に沿うフレーム材に螺挿された状態でフレームの下側に突出して床面上のネジ受け材等に当接する調整ネジが複数箇所に設けられた構成がある。かかる構成によれば、フレームを水平にするための調整作業として、各調整ネジのフレームからの下側への突出量を微調整することによりフレームの傾きを補正することが行われる。
【０００８】
このようなフレームの水平設置にともなう調整作業は、ライニングユニットの設置作業において煩わしい作業であり、ライニングユニットの設置作業についての作業負荷を増大させる原因となる。
【０００９】
本発明は、このような問題点に鑑みてなされたものであり、床面の不陸や傾きの影響を受けることなく、設置作業についての作業負荷を軽減することができ、設置作業を効率的に行うことができるライニングユニットを提供することを目的とする。
【課題を解決するための手段】
【００１０】
本発明に係るライニングユニットは、便器等の衛生設備機器の後方に設置されるライニングユニットであって、床面から浮いた状態で壁に設けられた浮部材と、前記浮部材の上面側に設けられた天板と、前記浮部材の前面側に設けられた前板と、を備えたものである。
【００１１】
このような構成のライニングユニットによれば、浮部材が床面の不陸や傾きの影響を受けることを回避することができる。これにより、浮部材に支持される天板および前板について水平状態を得るための調整作業が不要となり、ライニングユニットの設置作業について、負担を軽減することができ、作業性を向上させることができる。
【００１２】
本発明のうち他の態様に係るライニングユニットは、前記天板に、前記前板を取り付けるための取付部が設けられており、前記前板は、前記取付部に支持された状態で設けられているものである。
【００１３】
このような構成のライニングユニットによれば、前板の左右幅等に応じて、取付部を任意の位置に設けることが可能となり、前板を含む前面部の構成についての汎用性を向上することができる。
【００１４】
本発明のうち他の態様に係るライニングユニットは、前記取付部は、前記前板に設けられた係止部を少なくとも前後方向に移動可能な状態で受け入れて前記前板を支持するものであり、前記係止部を当接させて前記前板の後側への移動を規制する当接支持部を有するものである。
【００１５】
このような構成のライニングユニットによれば、前板の取付けを簡易に行うことができるとともに、前板の押し込みを防止することができる。
【００１６】
本発明のうち他の態様に係るライニングユニットは、前記浮部材の前面側における前記前板の左右両側の少なくとも一側に設けられた端前板をさらに備え、前記端前板は、前記前板に対して少なくとも一部が前後方向に重なるように設けられているものである。
【００１７】
このような構成のライニングユニットによれば、前板と端前板との重複部分を用いて左右の壁面間における間口の調整を行うことができる。このため、前面部の左右方向の両端部において壁面との隙間を埋めるフィラー部材等の間口調整のための部材を別途設ける必要がなく、前面部の構造の簡略化を図ることができるとともに、良好な施工性を得ることができる。
【００１８】
本発明のうち他の態様に係るライニングユニットは、前記前板は、前記浮部材の前側における所定の取付位置に対して左右方向のスライド移動によって着脱可能に設けられているものである。
【００１９】
このような構成のライニングユニットによれば、前板を容易に取り外すことができるので、良好なメンテナンス性を得ることができる。また、前板を取り付ける際、前板を横方向にスライドさせて左右の壁面に押し当てることにより、間口の大きさに自動的に対応することが可能となり、作業性を向上することができる。
【００２０】
本発明のうち他の態様に係るライニングユニットは、前記浮部材は、その後側の壁面に対して前方に向けて突出する水平状の底部を含む前方突設部を有し、前記前板および前記端前板の少なくともいずれか一方は、取外し操作可能に設けられているものである。
【００２１】
このような構成のライニングユニットによれば、床面から縁切りされた浮部材の一部を棚として利用することができ、床面に直接トイレ用品等を置く場合と比べて、トイレ室内の環境面や衛生面の向上を図ることができる。
【発明の効果】
【００２２】
本発明によれば、床面の不陸や傾きの影響を受けることなく、設置作業についての作業負荷を軽減することができ、設置作業を効率的に行うことができる。
【図面の簡単な説明】
【００２３】
【図１】本発明の一実施形態に係るライニングユニットの構成を示す斜視図である。
【図２】本発明の一実施形態に係るライニングユニットの構成を示す一部分解斜視図である。
【図３】本発明の一実施形態に係るライニングユニットの構成を示す正面図である。
【図４】本発明の一実施形態に係るライニングユニットの構成を示す平面図である。
【図５】本発明の一実施形態に係るライニングユニットの構成を示す側面図である。
【図６】本発明の一実施形態に係るライニングユニットの一部の構成を省略した正面図である。
【図７】本発明の一実施形態に係る浮部材としての板支持体を示す斜視図である。
【図８】本発明の一実施形態に係る浮部材としての板支持体の構成を示す図である。
【図９】本発明の一実施形態に係る天板の構成を示す図である。
【図１０】本発明の一実施形態に係る前板の構成を示す図である。
【図１１】本発明の一実施形態に係る端前板の構成を示す図である。
【図１２】本発明の一実施形態に係る下部前板の構成を示す図である。
【図１３】本発明の一実施形態に係る取付部を示す斜視図である。
【図１４】本発明の一実施形態に係る取付部の構成を示す図である。
【図１５】本発明の一実施形態に係る端前板の取付け方法の一例についての説明図である。
【図１６】本発明の一実施形態に係る端前板の取付け方法の一例についての説明図である。
【図１７】本発明の一実施形態に係る前板の取付け方法の一例についての説明図である。
【図１８】本発明の一実施形態に係る前板の取付け方法の一例についての説明図である。
【図１９】本発明の一実施形態に係る浮部材の棚としての使用例を示す図である。
【発明を実施するための形態】
【００２４】
本発明は、例えば大便器等の配管取り回しが必要な衛生設備機器の背面側（後方）に設置されるライニングユニットにおいて、上面部を構成する天板および前面部を構成する前板を支持する部分の構成を工夫することにより、床面の不陸や傾きの影響を受けることなく効率的な設置作業が可能な構成を実現しようとするものである。以下、本発明の実施の形態を説明する。
【００２５】
以下に説明する本発明の実施の形態では、ライニングユニットの適用例として、衛生設備機器である大便器の後方に設置されるライニングユニットを例にとって説明する。ただし、本発明に係るライニングユニットは、大便器のほか、例えば小便器や洗面化粧台等の種々の衛生設備機器を設置するための構成として適用することが可能である。
【００２６】
図１から図６に示すように、本実施形態に係るライニングユニット１は、トイレ室内の床面２上であって左側壁面３と右側壁面４との間において、後壁面５の前側に、床面２および各壁面３，４，５とともに箱状の中空構造をなすように設けられる。ライニングユニット１は、床面２の上方において床面２に対して平行状（水平状に）に設けられた上面部６と、後壁面５の前方において後壁面５に対して平行状に（鉛直状に）設けられた前面部７とを有する。上面部６および前面部７は、ライニングユニット１の前上部の角部において互いに直角状をなすとともに、左側壁面３と右側壁面４との間に挟まれた態様（架設された態様）で設けられている。
【００２７】
本実施形態のライニングユニット１は、大便器８の後方に設置されている。つまり、ライニングユニット１の前側に大便器８が設置される。大便器８は、前面部７の下部における左右方向の中間部分に設けられる。なお、ライニングユニット１において、前面部７に対面した向きでの左右方向を左右方向とし、同向きでの奥側および手前側をそれぞれ後側および前側とする（図１および図２参照）。
【００２８】
大便器８は、床面２から浮いた状態で支持されたいわゆる壁掛便器である。大便器８は、ライニングユニット１内に設けられた便器取付スタンド９に固定され支持されている。便器取付スタンド９は、ライニングユニット１の内部において前面部７の裏面の近傍に位置するように前側寄りの位置に設置され、前面部７を介して大便器８を支持する。
【００２９】
便器取付スタンド９は、床面２にボルト等により固定された状態で立設された互いに平行な左右一対の立設部９ａと、左右の立設部９ａ間に架設された架設部９ｂとを有する。立設部９ａおよび架設部９ｂは、例えば角型鋼材やＬ型鋼材等の鋼材により構成されている。便器取付スタンド９は、大便器８および大便器８に作用する荷重に対する支持強度を確保すべく十分な堅牢性を有する。
【００３０】
このような便器取付スタンド９に対し、便器取付スタンド９の前側に大便器８が固定される。大便器８は、例えば次のような構造により便器取付スタンド９に固定される。便器取付スタンド９においては、その上部の左右両側の２箇所に便器固定用ボルトが前方に向けて突設されている。一方、大便器８においては、各便器固定用ボルトが挿入される貫通孔部が大便器８の後面側に開口するように設けられている。そして、大便器８の固定用孔部を貫通した便器固定用ボルトにナットが螺合されることにより、大便器８が締結固定される。なお、図示において、大便器８は、陶器製の便器本体であり、大便器８の上に便座や便蓋等の各種構成が設けられる。
【００３１】
ライニングユニット１の内部には、大便器８に供給される洗浄水の給水管や大便器８からの排水を排出する排水管等の配管等が設けられている。また、ライニングユニット１の内部には、大便器８に供給される洗浄水を貯留するロータンク１０が設けられている。
【００３２】
ロータンク１０は、便器取付スタンド９の各立設部９ａの上端部から後方に向けて延出された左右の支持ステー１１間に架設されたタンク支持板部１２上に載置支持され、ボルト等によってタンク支持板部１２に固定された状態で設けられている。ロータンク１０の底面部には、排水口１０ａが下方に突出するように設けられている（図５参照）。排水口１０ａには、一端側が大便器８の後面側に開口する給水口に連通接続される給水管（図示略）の他端側が連通接続される。
【００３３】
以上のような構成を備えた本実施形態のライニングユニット１は、上面部６を構成する部材として、天板１５を備える。また、ライニングユニット１は、前面部７を構成する部材として、前板２１と、前板２１の右側に設けられた端前板２２と、前板２１の下側に設けられた下部前板２３とを備える。天板１５、前板２１、端前板２２、および下部前板２３の板厚は略同じである。
【００３４】
そして、ライニングユニット１は、上面部６を構成する天板１５並びに前面部７を構成する前板２１および端前板２２を支持する板支持部を構成する板支持体３０を備える。板支持体３０は、床面２から浮いた状態で後壁面５を支持壁面とする壁に設けられた浮部材である。つまり、板支持体３０は、床面２に対して所定の距離を隔てた上方位置において壁に固定支持されている。本実施形態のライニングユニット１は、左右一対の板支持体３０を備える。
【００３５】
板支持体３０について、図７および図８を用いて説明する。図８（ａ）は板支持体３０の正面図であり、図８（ｂ）は板支持体３０の側面図であり、図８（ｃ）は同図（ａ）におけるＡ−Ａ断面図であり、図８（ｄ）は同図（ｂ）におけるＢ−Ｂ断面図である。
【００３６】
板支持体３０は、互いに平行な上水平部３１および下水平部３２と、上水平部３１および下水平部３２の一側（後側）の端部同士を繋ぐ部分である垂直部３３とを有する。板支持体３０は、上水平部３１、下水平部３２、および垂直部３３により、全体として略「コ」字状（略「Ｕ」字状）に構成されている。板支持体３０は、左右方向および上下方向の各方向について対称な形状を有する。
【００３７】
板支持体３０を構成する上水平部３１、下水平部３２、および垂直部３３の各部は、いずれも矩形板状の外形を有する。これらの各部は、いずれも、本体部分をなす板状の本体板部と、本体板部の縁部から直角状に折れ曲がった板状の縁板部とを有する。縁板部は、上水平部３１、下水平部３２、および垂直部３３の各部の延設方向に沿う帯板状の部分である。
【００３８】
詳細には、上水平部３１は、板厚方向を上下方向とする水平状の本体板部３１ａを有し、本体板部３１ａの周縁の縁板部として、本体板部３１ａの左右両側に設けられた側縁板部３１ｂと、本体板部３１ａの前側に設けられた前縁板部３１ｃとを有する。また、下水平部３２は、上水平部３１と上下対称な形状を有する部分であり、水平状の本体板部３２ａと、左右の側縁板部３２ｂと、前縁板部３２ｃとを有する。また、垂直部３３は、板厚方向を前後方向とする垂直状の本体板部３３ａと、左右の側縁板部３３ｂとを有する。
【００３９】
これらの板部を有する板支持体３０において、上水平部３１の側縁板部３１ｂ、下水平部３２の側縁板部３２ｂ、および垂直部３３の側縁板部３３ｂは、共通の面部を構成する。つまり、これらの側縁板部３１ｂ，３２ｂ，３３ｂにより、板支持体３０の略「コ」字状の外形に沿う連続的な側面部が形成されている。また、上水平部３１の本体板部３１ａおよび下水平部３２の本体板部３２ａが、それぞれ板支持体３０における上面部および下面部となる。また、上水平部３１の前縁板部３１ｃおよび下水平部３２の前縁板部３２ｃが板支持体３０の前面部となる。また、垂直部３３の本体板部３３ａが板支持体３０の後面部となる。
【００４０】
板支持体３０は、垂直部３３の本体板部３３ａが後壁面５に固定されることにより、後壁に固定状態で支持される。つまり、板支持体３０は、垂直部３３を後壁面５に沿わせて本体板部３３ａの後面を後壁面５に接触させた状態で固定される。板支持体３０は、ボルト等の締結具３４により固定される。このため、本体板部３３ａには、締結具３４を貫通させる固定用の孔部３３ｄが形成されている。本実施形態では、孔部３３ｄは、本体板部３３ａの上下端近傍の左右中央部の位置の２箇所に設けられている。締結具３４は、孔部３３ｄを貫通して後壁面５にねじ込まれ、板支持体３０を固定する。なお、板支持体３０の固定構造としては、後壁面５に対して他の部材を介して間接的に板支持体３０を固定する構造であってもよい。
【００４１】
板支持体３０は、後壁面５に固定された状態において、上水平部３１および下水平部３２により、後壁面５から前方への水平な突出部分である上下２段の水平突出部を構成する。このように、板支持体３０においては、上水平部３１によって上段の水平突出部である第１の水平突出部が構成され、下水平部３２によって下段の水平突出部である第２の水平突出部が構成される。本実施形態では、上水平部３１および下水平部３２の前後方向の長さ（前方への突出量）は互いに同じである。つまり、上水平部３１の前縁板部３１ｃと下水平部３２の前縁板部３２ｃとは、前後方向に垂直な同一面上に位置する。ただし、このような構成に限定されることなく、上水平部３１および下水平部３２の前後方向の長さは互いに異なっていてもよい。
【００４２】
板支持体３０は、全体として鋼材により構成されている。板支持体３０は、例えば、一体の板状の鋼板部材が屈曲形成されることにより構成される。ただし、板支持体３０としては、板支持体３０の各部を構成する複数の部材が溶接やボルト締結等によって連結された構成であってもよい。
【００４３】
左右一対の板支持体３０は、互いに同一の形状・寸法を有し、互いに同じ高さ位置となるように配設されている。左側の板支持体３０は、その左側の側面部を左側壁面３に沿わせ、左側面３０ｅが左側壁面３に接触または略接触する位置に固定されている。また、右側の板支持体３０は、その右側の側面部を右側壁面４に沿わせ、右側面３０ｆが右側壁面４に接触または略接触する位置に固定されている。左右の板支持体３０の間の間隔は、例えば板支持体３０の左右幅の４〜５倍である。
【００４４】
また、本実施形態の板支持体３０の全体の外形寸法について、左右方向の寸法をＤ１、前後方向の寸法をＤ２、上下方向の寸法をＤ３とした場合、これらの寸法は、Ｄ１＜Ｄ２＜Ｄ３の関係を有する。具体的には、これらの寸法の比（Ｄ１：Ｄ２：Ｄ３）は、約１：２：３である。ただし、板支持体３０の各方向の寸法の大小関係は特に限定されるものではない。
【００４５】
図９に、天板１５を示す。図９（ａ）は天板１５の正面図、図９（ｂ）は天板１５の底面図、図９（ｃ）は天板１５の右側面図である。天板１５は、板支持体３０の上面側に設けられる。天板１５は、矩形状の平板であり、長手方向および短手方向の各方向をそれぞれ左右方向および前後方向に向けた状態で設けられる。天板１５は、例えば合板等の木製の板である。
【００４６】
天板１５は、左右の板支持体３０上に架設された態様で左右の板支持体３０上に載置支持される。天板１５は、各板支持体３０において上水平部３１の本体板部３１ａの上側の面となる上面３０ａの四隅に設けられた板状の介装部材１７を介して板支持体３０上に設けられる。すなわち、天板１５は、その下板面１５ｂの左右両端部を板支持体３０の上面３０ａに対向させ、介装部材１７を介して板支持体３０上に支持された状態で設けられる。天板１５は、図示せぬ固定部においてボルト等の締結具によって固定されることで、板支持体３０に固定される。天板１５の上板面１５ａが、ライニングユニット１の上面となる。なお、本実施形態では介装部材１７が採用されているが、介装部材１７を介さずに、天板１５を板支持体３０に直接取り付ける構成であってもよい。
【００４７】
天板１５は、その長手方向の両側の側面である左側面１５ｅおよび右側面１５ｆをそれぞれ左側壁面３または右側壁面４に接触または略接触させた状態で設けられる。したがって、天板１５の長手方向（左右方向）の寸法は、左側の板支持体３０の左側面３０ｅと右側の板支持体３０の右側面３０ｆとの間の左右方向の間隔の寸法、つまり左側壁面３と右側壁面４との間の間隔の寸法と略同じ大きさである。また、天板１５は、その後側面１５ｄを後壁面５に接触させた状態で設けられ、前側面１５ｃを、板支持体３０の前面３０ｃよりも前側に位置させる。つまり、天板１５の前端部は、板支持体３０よりも前側に突出している。したがって、天板１５の前後方向の寸法は、板支持体３０の前後方向の寸法よりも大きい。
【００４８】
天板１５には、前板２１および端前板２２を取り付けるための取付部４０が設けられている。取付部４０は、天板１５の下板面１５ｂに設けられている。取付部４０は、天板１５の下板面１５ｂに設けられた固定台部４１と、固定台部４１に固定された支持部材４２とを有する。なお、取付部４０の詳細な構成については後述する。
【００４９】
図１０に、前板２１を示す。図１０（ａ）は前板２１の平面図、図１０（ｂ）は前板２１の正面図、図１０（ｃ）は前板２１の背面図、図１０（ｄ）は前板２１の右側面図である。前板２１は、板支持体３０の前面側に設けられる。前板２１は、矩形状の平板であり、長手方向および短手方向の各方向をそれぞれ左右方向および上下方向に向けた状態で設けられる。前板２１は、例えば合板等の木製の板である。
【００５０】
前板２１は、上記のとおり天板１５に設けられた取付部４０により、天板１５に吊下げ支持された状態で設けられる。前板２１は、板支持体３０の前側において、天板１５の板支持体３０からの前方突出部の下側に位置する。つまり、前板２１は、その上側面２１ａを天板１５の下板面１５ｂの前端部に対向させた状態で支持される。また、前板２１は、その前板面２１ｃを天板１５の前側面１５ｃと略同一面上に位置させる位置、つまり前板２１の前板面２１ｃと天板１５の前側面１５ｃとの前後方向の位置が略一致する位置に支持されている。
【００５１】
前板２１は、その左側面２１ｅを左側壁面３に接触または略接触させた状態で設けられる。また、前板２１は、右側については、右側面２１ｆを、右側の板支持体３０の左側面３０ｅと略同じ位置に位置させる。前板２１は、左右方向について前面部７全体の大部分を占める。図に示す構成においては、前板２１は、左右方向について前面部７全体の約４／５の寸法を有する。また、前板２１は、上下方向については、前面部７全体の上半部を占める。
【００５２】
また、前板２１の下縁部には、下部前板２３に対する係止部分となる係止用突片部２８が下方に突出するように設けられている。係止用突片部２８は、前板２１の下縁部における左側寄りの位置の１箇所に設けられている。係止用突片部２８は、矩形板状の部材が前板２１の後板面２１ｄにボルト等によって固定されることにより設けられている。係止用突片部２８は、下部前板２３の後板面２３ｄに接触することで、前板２１の下部前板２３に対する前側への移動を規制し、前板２１が前側に浮くことを防止する。
【００５３】
図１１に、端前板２２を示す。図１１（ａ）は端前板２２の平面図、図１１（ｂ）は端前板２２の正面図、図１１（ｃ）は端前板２２の背面図、図１１（ｄ）は端前板２２の右側面図である。端前板２２は、板支持体３０の前面側において前板２１と平行に設けられる。端前板２２は、矩形状の平板であり、長手方向および短手方向の各方向をそれぞれ上下方向および左右方向に向けた状態で設けられる。端前板２２は、例えば合板等の木製の板である。
【００５４】
端前板２２は、前板２１と同様に、天板１５に設けられた取付部４０により、天板１５に吊下げ支持された状態で設けられる。端前板２２は、前板２１の左側に設けられる。端前板２２は、板支持体３０の前側において、天板１５の板支持体３０からの前方突出部の下側に位置する。つまり、端前板２２は、その上側面２２ａを天板１５の下板面１５ｂの前端部に対向させた状態で支持される。
【００５５】
また、端前板２２は、前後方向について、前板２１の後側に位置する。端前板２２は、前後方向について、前板面２２ｃを、前板２１の後板面２１ｄと略同じ位置に位置させるように設けられている。したがって、天板１５の板支持体３０からの前方への突出部分の前後方向の寸法は、前板２１および端前板２２の板厚の寸法の合計の寸法と略同じである。
【００５６】
端前板２２は、その長手方向（上下方向）の寸法を、前面部７の全体の寸法と一致させる。つまり、端前板２２は、上下方向について前面部７の全体を占める。ここで、前面部７の下端は、床面２に対して所定の隙間Ｅ１（図５参照）が生じる位置に位置する。したがって、前面部７の下端面の一部をなす端前板２２の下側面２２ｂは、床面２に対して隙間Ｅ１を隔てて床面２に対向する。
【００５７】
端前板２２は、その右側面２２ｆを右側壁面４に接触または略接触させた状態で設けられる。また、端前板２２は、左側については、左側面２２ｅを、右側の板支持体３０の左側面３０ｅよりもわずかに左側の位置に位置させる。つまり、前後方向について前板２１の後側に端前板２２が位置する構成において、前板２１の右側の縁部と、端前板２２の左側の縁部とが、前後方向に互いに重なっており、前板２１と端前板２２との重複部２６が設けられている。前板２１と端前板２２の重複部２６は、右側の板支持体３０の左側に位置し、前板２１の上下方向の全体にわたる。
【００５８】
このように、本実施形態のライニングユニット１は、前面部７を構成する部材として、板支持体３０の前面側における前板２１の右側に設けられた端前板２２を備える。そして、端前板２２は、前板２１に対して左側の縁部が前後方向に重なるように設けられている。
【００５９】
図１２に、下部前板２３を示す。図１２（ａ）は下部前板２３の正面、図１２（ｂ）は下部前板２３の右側面図である。下部前板２３は、板支持体３０の前側において前板２１の下側にて前板２１と同一面上に設けられる。下部前板２３は、矩形状の平板であり、長手方向および短手方向の各方向をそれぞれ左右方向および上下方向に向けた状態で設けられる。下部前板２３は、例えば合板等の木製の板である。
【００６０】
下部前板２３は、前面部７において大便器８の取付部分を構成する部材であり、大便器８と便器取付スタンド９との間に挟まれた状態で支持される。このため、下部前板２３においては、大便器８の取付位置に対応する部位に、便器取付用の開口部２３ｇが形成されている。
【００６１】
下部前板２３は、前板２１と同様に、左側面２３ｅを左側壁面３に接触または略接触させた状態で設けられる。また、下部前板２３は、左右方向の寸法を前板２１の左右方向の寸法と同じとする。したがって、下部前板２３の右側面２３ｆは、前板２１の右側面２１ｆと略面一をなし、下部前板２３の右側の縁部は、端前板２２の下部の左側の縁部に対して前側に位置し、これらの縁部同士は前後方向に重なっており、重複部２７が存在する。
【００６２】
また、下部前板２３は、上記のとおり前板２１と同一面上に設けられており、上側面２３ａを、前板２１の下側面２１ｂに接触させた状態で設けられ、下部前板２３の前板面２３ｃおよび後板面２３ｄは、それぞれ前板２１の前板面２１ｃおよび後板面２１ｄと略面一をなす。そして、前板２１と下部前板２３の合計の上下方向の寸法は、前面部７全体の上下方向の寸法、つまり端前板２２の上下方向の寸法と一致する。したがって、端前板２２の下側面２２ｂと同様に、前面部７の下端面の一部をなす下部前板２３の下側面２３ｂは、床面２に対して隙間Ｅ１を隔てて床面２に対向する。
【００６３】
また、下部前板２３の上縁部には、前板２１に対する係止部分となる係止用突片部２４が上方に突出するように設けられている。係止用突片部２４は、下部前板２３の上縁部における右側寄りの位置であって、開口部２３ｇの上方の位置の１箇所に設けられている。係止用突片部２４は、矩形板状の部材が下部前板２３の後板面２３ｄにボルト等によって固定されることにより設けられている。係止用突片部２４は、前板２１の後板面２１ｄに接触することで、下部前板２３の前板２１に対する前側への移動を規制し、下部前板２３が前側に浮くことを防止する。つまり、下部前板２３と前板２１は、それぞれの係止用突片部２４，２８により係止し合うことで、前側に浮くことを互いに規制している。
【００６４】
以上のように前板２１、端前板２２、および下部前板２３により構成された前面部７の下側には、床面２に対して隙間Ｅ１が存在し、かかる隙間Ｅ１を塞ぐため、下端板２５が設けられている。下端板２５は、帯板状の部材であり、その板厚方向を前後方向とし、長手方向を左右方向として隙間Ｅ１を全体的に塞ぐように設けられる。
【００６５】
下端板２５は、前面部７の後側において床面２に立設された状態で設けられる。下端板２５は、幅方向（上下方向）の寸法を、隙間Ｅ１の幅方向（上下方向）の寸法よりも長くし、正面視において下端板２５の上端部が前面部７の下端部に重なるように設けられている。下端板２５は、前後方向について、例えば、その前面が端前板２２の後板面２２ｄに接触する位置に設けられる。下端板２５は、例えば鋼板等の金属製の板である。
【００６６】
以上のような構成において、前面部７を構成する前板２１および端前板２２は、天板１５に設けられた取付部４０に支持された状態で設けられている。すなわち、本実施形態のライニングユニット１において、板支持体３０は、天板１５を介して前板２１および端前板２２を支持する。
【００６７】
図１３および図１４に、取付部４０を示す。図１４（ａ）は取付部４０の正面図、図１４（ｂ）は取付部４０の底面図、図１４（ｃ）は取付部４０の右側面図である。
【００６８】
図９の各図に示すように、取付部４０は、天板１５の下板面１５ｂにおいて、前端寄りの位置に設けられている。取付部４０は、上記のとおり固定台部４１と支持部材４２とを有する。
【００６９】
固定台部４１は、天板１５の下板面１５ｂに対してわずかに突出した突部として設けられ、支持部材４２が取り付けられる平面状の取付面４１ａを有する。本実施形態では、固定台部４１は、天板１５の下板面１５ｂにおいて、左右方向の両端部を除いた大部分にわたって左右方向に直線状に延設された突条部として設けられている。
【００７０】
このように、本実施形態では、固定台部４１について、前板２１および端前板２２それぞれの取付部４０を構成する部分として、一体の連続した固定台部４１が設けられている。固定台部４１は、例えば鋼板等の金属製の部材が天板１５の下板面１５ｂに固定されることにより設けられている。
【００７１】
支持部材４２は、固定台部４１に取り付けられることで、前板２１および端前板２２のそれぞれが複数箇所に有する係止部としての係止片部５１に対する支持部を構成する。本実施形態では、支持部材４２は、前板２１および端前板２２それぞれに対して２箇所ずつ計４箇所に設けられている。
【００７２】
４箇所に設けられた支持部材４２のうち、左側の２箇所の支持部材４２Ａが、固定台部４１とともに前板２１を取り付けるための取付部４０Ａを構成し、右側の２箇所の支持部材４２Ｂが、固定台部４１とともに端前板２２を取り付けるための取付部４０Ｂを構成する。前板２１用の支持部材４２Ａと端前板２２用の支持部材４２Ｂは、互いに左右対称の構成であるため、図１３および図１４においては前板２１用の支持部材４２Ａを図示し、主に前板２１用の支持部材４２Ａについて説明する。
【００７３】
図１３および図１４の各図に示すように、支持部材４２は、固定台部４１の取付面４１ａとともに、前板２１および端前板２２のそれぞれに設けられた係止片部５１を挟持した状態で係止させる挟持空間５０を形成する。
【００７４】
ここで、取付部４０に係合する係止片部５１について説明する。係止片部５１は、前板２１（端前板２２）の上側面２１ａ（上側面２２ａ）よりわずかに上方の位置にて後方に向けて水平状に、つまり板厚方向を上下方向として突出する矩形板状の部分である。
【００７５】
本実施形態では、係止片部５１は、矩形板状の鋼板が直角状に屈曲したＬ型金具５２が前板２１（端前板２２）の後板面２１ｄ（後板面２２ｄ）に固定されることにより設けられている。Ｌ型金具５２のＬ字状の各辺部をなす２つの面部のうち、一方の面部５２ａが、前板２１（端前板２２）に対する固定部となり、他方の面部５２ｂが、係止片部５１となる。Ｌ型金具５２は、固定部である一方の面部５２ａの他方の面部５２ｂの屈曲側と反対側（前側）の板面５２ｃを前板２１（端前板２２）の後板面２１ｄ（後板面２２ｄ）に合わせた状態で、ボルト等の固定具５３によって固定される。なお、係止片部５１は、Ｌ型金具５２のような金属製の部材に限らず、樹脂製や木製の部材により構成されてもよい。
【００７６】
このようにして前板２１（端前板２２）側に設けられた係止片部５１に対し、天板１５側の取付部４０において形成された挟持空間５０は、固定台部４１の取付面４１ａおよびこれに対向する支持部材４２の支持面４２ｆを上下面とし、係止片部５１を差し込ませる隙間部分である。挟持空間５０は、係止片部５１を上下方向に挟持支持する隙間部分であり、上下方向の隙間寸法を、取付部４０に対する係止片部５１の水平方向の相対移動が可能となるように、係止片部５１の板厚の寸法と略同じあるいは同寸法よりも大きくする。
【００７７】
このような係止片部５１が、前板２１および端前板２２のそれぞれにおいて、天板１５に２箇所ずつ設けられた前板２１用の取付部４０Ａおよび端前板２２用の取付部４０Ｂの配置間隔に対応して設けられている。本実施形態では、係止片部５１は、前板２１および端前板２２の各板において、左半部および右半部の各部における所定の位置の２箇所に設けられている。
【００７８】
支持部材４２は、矩形状の鋼板が長手方向について屈曲形成された部材である。支持部材４２は、固定台部４１に固定される部分である固定部４２ａと、固定部４２ａの一側から略直角状に下側に折れ曲がった段差形成部４２ｂと、固定部４２ａに対する段差面部となる支持面部４２ｃと、支持面部４２ｃの一側から略直角状に下側に折れ曲がった折返部４２ｄとを有する。
【００７９】
固定部４２ａは、支持部材４２の長手方向の略半分を占める平板状の部分である。支持部材４２は、固定部４２ａの上面４２ｅを固定台部４１の取付面４１ａに接触させた状態で固定される。段差形成部４２ｂは、支持面部４２ｃを固定部４２ａに対して低い段差面部とする。
【００８０】
支持面部４２ｃは、固定部４２ａの上面４２ｅに対して低い段差面となる上面を、上記のとおり固定台部４１の取付面４１ａとともに挟持空間５０を形成する支持面４２ｆとする。固定部４２ａの上面４２ｅは固定台部４１の取付面４１ａに対する接触面であることから、固定部４２ａの上面４２ｅと支持面部４２ｃの上面（支持面４２ｆ）との段差の大きさが、係止片部５１が差し込まれる挟持空間５０の上下方向の隙間寸法となる。折返部４２ｄは、挟持空間５０に係止片部５１が差し込まれる際におけるガイド部となる。
【００８１】
図１３および図１４に示すように、支持部材４２Ａは、固定部４２ａ側を左側、折返部４２ｄ側を右側とする向きで固定台部４１に固定されている。支持部材４２は、固定部４２ａを貫通するネジ４３により固定台部４１に固定されている。本実施形態では、支持部材４２は、前後２本のネジ４３により固定されている。ネジ４３は、固定部４２ａを貫通して固定台部４１または固定台部４１および天板１５に螺挿される。なお、支持部材４２は、ネジ４３による固定のほか、溶接等により固定台部４１に固定されてもよい。
【００８２】
支持部材４２が固定台部４１に固定されることで、係止片部５１が差し込まれる挟持空間５０が形成される。支持部材４２Ａにより構成された前板２１用の取付部４０Ａおいて、挟持空間５０は、前後両側および右側を開放させる。これに対し、支持部材４２Ｂにより構成された端前板２２用の取付部４０Ｂにおいて、挟持空間５０は、取付部４０Ａの場合と左右対称に、前後両側および左側を開放させる。すなわち、前板２１および端前板２２の各板に対して設けられた取付部４０Ａおよび取付部４０Ｂの挟持空間５０は、前後両側に加え、左側壁面３および右側壁面４の左右壁面のうち支持する板（前板２１または端前板２２）が沿う壁面側と反対側を開放させる。
【００８３】
なお、固定台部４１としては、本実施形態のように４箇所の取付部４０に対して連続した一体の部分に限られることなく、各取付部４０において支持部材４２の取付面４１ａを形成する部分であればよく、例えば取付部４０毎に設けられてもよい。また、取付部４０を構成する部分としては、固定台部４１は省略可能である。この場合、支持部材４２が天板１５の下板面１５ｂに直接的に固定され、天板１５の下板面１５ｂが、支持部材４２の支持面４２ｆとともに挟持空間５０を形成する面となる。また、支持部材４２は、金属製の部材に限らず、樹脂製や木製の部材であってもよい。
【００８４】
以上のように、取付部４０は、前板２１および端前板２２に設けられた係止片部５１を少なくとも前後方向に移動可能な状態で受け入れて前板２１および端前板２２を支持するものである。つまり、取付部４０においては、挟持空間５０に差し込まれた係止片部５１は、固定台部４１の取付面４１ａと支持部材４２の支持面４２ｆとの間に挟まれた状態で水平方向にスライド可能に支持されている。このような構成において、前板２１用の取付部４０Ａは、係止片部５１を当接させて前板２１の後側への移動を規制する当接支持部としてのストッパ板部４４を有する。
【００８５】
図１３および図１４の各図に示すように、ストッパ板部４４は、天板１５の下板面１５ｂから突出した矩形板状の部分であり、板厚方向を前後方向として、天板１５の下板面１５ｂに対して垂設されている。ストッパ板部４４の前側の板面が、係止片部５１の当接を受ける当接支持面４４ａとなる。つまり、ストッパ板部４４は、当接支持面４４ａにおいて、係止片部５１の先端面となる後端面５１ａの接触を受ける。ストッパ板部４４は、取付部４０Ａに支持された状態の係止片部５１の後端面５１ａが全体的に当接支持面４４ａに接触するように、取付部４０Ａの後側における所定の範囲をカバーするように設けられている。
【００８６】
このようなストッパ板部４４に対し、前板２１の係止片部５１が当接することにより、前板２１の後方への移動が規制され、前板２１が前後方向について位置決めされる。
【００８７】
ストッパ板部４４は、係止片部５１の後方への突出長さとの関係において、前板２１が係止片部５１をストッパ板部４４に当接させた状態で、前板２１と板支持体３０との間の前後方向の隙間の大きさが端前板２２の板厚と略同じとなる位置に設けられる。
【００８８】
すなわち、前後方向について前板２１の後側に位置する端前板２２は、その後板面２２ｄを、板支持体３０の前面３０ｃに接触させることで、後側への移動が規制され、前後方向について位置決めされる。このため、前後方向について、前板２１と板支持体３０との間には、端前板２２が介在する。したがって、前板２１の係止片部５１がストッパ板部４４に当接した状態において、前板２１と板支持体３０との間に、少なくとも端前板２２の板厚分の間隔が確保されるように、係止片部５１の突出長さとの関係においてストッパ板部４４が設けられる。
【００８９】
ストッパ板部４４は、例えば、板状の部材がボルト等によって天板１５に固定されたり固定台部４１に溶接されたりすること等によって設けられる。本実施形態では、ストッパ板部４４は、固定台部４１の後側の縁部に沿うように設けられている。
【００９０】
なお、ストッパ板部４４は、端前板２２用の取付部４０Ｂに設けられてもよい。この場合、ストッパ板部４４の機能を発揮させるに際し、取付部４０Ｂおよび端前板２２の係止片部５１は、後方に移動する端前板２２が板支持体３０に接触するよりも先に端前板２２の係止片部５１がストッパ板部４４に当接するように構成される。
【００９１】
また、前板２１がその後板面２１ｄを板支持体３０の前面３０ｃに接触させることで、前板２１の後側への移動が規制され、前板２１が前後方向について位置決めされる構成としてもよい。かかる構成は、例えば、左側の板支持体３０の上水平部３１および下水平部３２の少なくともいずれか一方の前方への突出寸法を長くすることにより実現される。かかる構成においては、前板２１用の取付部４０Ａにおいてストッパ板部４４を省略することができる。
【００９２】
以上のような構成を備えた本実施形態のライニングユニット１における前板２１および端前板２２の取付け方法について説明する。前板２１および端前板２２は、基本的には、左右方向のスライド移動（平行移動）により、天板１５に取り付けられる。ただし、前板２１および端前板２２は、係止片部５１を取付部４０の挟持空間５０に対して前側からあるいは斜め前側から差し込むことによっても、天板１５に取り付けられる。
【００９３】
前板２１および端前板２２を左右方向のスライド移動によって天板１５に取り付ける場合について、図１５から図１８を用いて説明する。ここでは、前板２１の後側に位置する端前板２２を取り付けた後に前板２１を取り付ける場合を例に説明する。
【００９４】
まず、図１５（ａ）および図１６（ａ）に示すように、取付作業者により、端前板２２の２つの係止片部５１がそれぞれ端前板２２用の取付部４０Ｂの挟持空間５０の左側の開放側に臨む位置に、端前板２２が支持される。かかる状態においては、端前板２２の右側面２２ｆと右側壁面４との間に、隙間５５が存在する。
【００９５】
このように端前板２２が支持された状態から、端前板２２が右側にスライド移動させられる。これにより、図１５（ｂ）に示すように、端前板２２の２つの係止片部５１がそれぞれ端前板２２用の取付部４０Ｂの挟持空間５０に差し込まれ（矢印Ｘ１参照）、係止片部５１が取付部４０Ｂに支持された状態となる。
【００９６】
ここで、端前板２２は、図１６（ｂ）に示すように、隙間５５がなくなるまで、つまり右側面２２ｆが右側壁面４に接触するまでスライド移動させられる（矢印Ｘ２参照）。これにより、端前板２２が左右方向について位置決めされる。
【００９７】
このように、取付部４０Ｂおよび係止片部５１は、端前板２２の右側への移動について、係止片部５１が支持部材４２の段差形成部４２ｂに接触するよりも先に、端前板２２の右側面２２ｆが右側壁面４に接触するように構成されている。ただし、係止片部５１が支持部材４２の段差形成部４２ｂに接触することで端前板２２が左右方向について位置決めされる構成であってもよい。
【００９８】
また、係止片部５１を取付部４０Ｂに支持させた端前板２２は、後方に押されることで、後板面２２ｄを板支持体３０の前面３０ｃに接触させる。これにより、端前板２２が前後方向について位置決めされる。以上のようにして、端前板２２の取付けが完了する。取り付けられた端前板２２は、天板１５の下板面１５ｂに設けられた２箇所の取付部４０Ｂにより吊下げ支持された状態となる。
【００９９】
端前板２２が取り付けられた後、前板２１が取り付けられる。図１７（ａ）および図１８（ａ）に示すように、端前板２２の取付けの場合と同様に、取付作業者により、前板２１の２つの係止片部５１がそれぞれ前板２１用の取付部４０Ａの挟持空間５０の右側の開放側に臨む位置に、前板２１が支持される。かかる状態においては、前板２１の左側面２２ｅと左側壁面３との間に、隙間５６が存在する。
【０１００】
このように前板２１が支持された状態から、前板２１が左側にスライド移動させられる。これにより、図１７（ｂ）に示すように、前板２１の２つの係止片部５１がそれぞれ前板２１用の取付部４０Ａの挟持空間５０に差し込まれ（矢印Ｙ１参照）、係止片部５１が取付部４０Ａに支持された状態となる。
【０１０１】
ここで、前板２１は、図１８（ｂ）に示すように、隙間５６がなくなるまで、つまり左側面２１ｅが左側壁面３に接触するまでスライド移動させられる（矢印Ｙ２参照）。これにより、前板２１が左右方向について位置決めされる。
【０１０２】
このように、取付部４０Ａおよび係止片部５１は、前板２１の左側への移動について、係止片部５１が支持部材４２の段差形成部４２ｂに接触するよりも先に、前板２１の左側面２１ｅが左側壁面３に接触するように構成されている。ただし、係止片部５１が支持部材４２の段差形成部４２ｂに接触することで前板２１が左右方向について位置決めされる構成であってもよい。
【０１０３】
また、係止片部５１を取付部４０Ａに支持させた前板２１は、後方に押されることで、係止片部５１をストッパ板部４４に接触させる。これにより、前板２１が前後方向について位置決めされる。以上のようにして、前板２１の取付けが完了する。取り付けられた前板２１は、天板１５の下板面１５ｂに設けられた２箇所の取付部４０Ａにより吊下げ支持された状態となる。そして、前板２１および端前板２２が取り付けられた状態においては、上述したように、前板２１の右側の縁部と、端前板２２の左側の縁部との重複部２６が存在する。
【０１０４】
天板１５に取り付けられた状態の前板２１および端前板２２を取り外すときは、各板を取り付ける際と逆方向、つまり前板２１は右方向、端前板２２は左方向にそれぞれスライド移動させることで、係止片部５１の取付部４０に対する係止状態が解除される。
【０１０５】
以上のように、本実施形態のライニングユニット１において、前板２１および端前板２２は、板支持体３０の前側における所定の取付位置に対して左右方向のスライド移動によって着脱可能に設けられている。ここで、前板２１についての所定の取付位置は、前板２１が天板１５に取り付けられた状態における前板２１の位置である。したがって、前板２１についての所定の取付位置は、例えば、前板２１が係止片部５１を取付部４０Ａに係止させるとともに左側面２１ｅを左側壁面３に接触させた位置である。同様にして、端前板２２についての所定の取付位置は、端前板２２が天板１５に取り付けられた状態における端前板２２の位置である。したがって、端前板２２についての所定の取付位置は、例えば、端前板２２が係止片部５１を取付部４０Ｂに係止させるとともに右側面２２ｆを右側壁面４に接触させた位置である。
【０１０６】
また、本実施形態のライニングユニット１において上面部６を構成する板部材のうち、前板２１および端前板２２は、大便器８の取付け部分を構成する下部前板２３とは分離しており、前板２１および端前板２２は、下部前板２３とは干渉することなく取付け・取外し操作可能に設けられている。そこで、本実施形態のライニングユニット１においては、天板１５等を支持する一対の板支持体３０の一部が、大便器８周りで用いられるトイレ用品等をのせるための棚部として用いられている。具体的には次のとおりである。
【０１０７】
上述したように、板支持体３０は、後壁面５から前方への水平突出部を構成する部分として、上水平部３１および下水平部３２を有する。これらの水平突出部のうち、下水平部３２により構成される水平突出部が、板支持体３０の後側の壁面である後壁面５に対して前方に向けて突出する水平状の底部を含む前方突設部となり、棚部として用いられる。
【０１０８】
すなわち、下水平部３２を構成する部分のうち、本体板部３２ａが、後壁面５に対して前方に向けて突出する水平状の底部となる。そして、下水平部３２においては、本体板部３２ａと、本体板部３２ａの周囲から立ち上がる側縁板部３２ｂおよび前縁板部３２ｃとにより、トレイ状の部分が構成されている。
【０１０９】
このように後壁面５からの前方突設部である板支持体３０の下水平部３２は、例えば図１９に示すように、トイレ用品の棚部として用いられる。図１９に示す例では、左側の板支持体３０の下水平部３２には、トイレ用洗剤６１およびトイレットペーパ６２が置かれており、右側の板支持体３０の下水平部３２には、トイレ用ブラシ６３が置かれている。
【０１１０】
このように棚として用いられる下水平部３２上に物を置く際や下水平部３２上から物を取り出す際には、前板２１および端前板２２の少なくとも一方が取り外される。
【０１１１】
以上説明した本実施形態に係るライニングユニット１によれば、床面２の不陸や傾きの影響を受けることなく、設置作業についての作業負荷を軽減することができ、設置作業を効率的に行うことができる。以下、本実施形態に係るライニングユニット１による作用効果について説明する。
【０１１２】
本実施形態のライニングユニット１は、上面部６を構成する天板１５並びに前面部７を構成する前板２１および端前板２２を支持する部分として、床面２から浮いた状態で後壁面５に固定された板支持体３０を備える。このような構成によれば、板支持体３０が床面２と縁切りされた状態で設けられることから、板支持体３０が床面２の不陸や傾きの影響を受けることを回避することができる。これにより、板支持体３０に支持される天板１５や前板２１等について水平状態を得るための調整作業が不要となり、ライニングユニット１の設置作業について、負担を軽減することができ、作業性を向上させることができる。すなわち、本実施形態のライニングユニット１によれば、一対の板支持体３０のそれぞれを所定の高さ位置に水平状態で固定するという簡単な作業により、天板１５や前板２１等について容易に水平状態を得ることができる。
【０１１３】
また、本実施形態のライニングユニット１によれば、上下方向、左右方向、および奥行方向の各方向に沿う複数のフレーム材により枠組み構成された大がかりな従来のフレーム構造との対比において、天板１５や前板２１等を支持する部分の構成を簡素なものとすることができる。このような面からも設置作業の効率を向上することができる。
【０１１４】
また、本実施形態のライニングユニット１においては、前板２１および端前板２２が、天板１５に設けられた取付部４０により支持された状態で設けられる。このような構成によれば、全体にわたって架設された態様で設けられる天板１５に取付部４０が設けられることから、前板２１や端前板２２の左右幅に応じて、取付部４０を任意の位置に設けることが可能となる。
【０１１５】
仮に、例えば板支持体３０に前板２１等の取付部が設けられる場合、左右方向について取付部を設ける位置が、板支持体３０が存在する範囲に限定されてしまう。この場合、前面部７を構成する板部材の幅寸法や前面部７の分割構造等によっては、取付部を設ける位置について対応が困難となる。
【０１１６】
そこで、天板１５に前板２１および端前板２２の取付部４０を設けることにより、前板２１や端前板２２の幅寸法や前面部７の分割構造等に対し、取付部４０を設ける位置について柔軟に対応することが可能となる。つまり、前板２１や端前板２２の支持位置の自由度を高くすることができ、前板２１を含む前面部７の構成についての汎用性を向上することができる。
【０１１７】
また、本実施形態のライニングユニット１においては、前板２１を支持する取付部４０（４０Ａ）が、前板２１等に設けられた係止片部５１を水平方向にスライド移動可能に支持する構成であって、係止片部５１の後方への移動を規制するストッパ板部４４を有する。このような構成によれば、前板２１を後方へ押し付けることによって自動的に前板２１が前後方向について位置決めされるため、前板を簡易に取り付けることができる。また、係止片部５１のストッパ板部４４に対する当接によって前板２１が後方に移動することが規制されることから、前板２１が押し込まれることを防止することができる。
【０１１８】
また、本実施形態のライニングユニット１においては、前面部７において前板２１と端前板２２との分割構造が採用されており、前板２１と端前板２２とが互いに前後方向に重なる部分を有する。このような構成によれば、前板２１と端前板２２との重複部２６を用いて左側壁面３と右側壁面４との間における前面部７の間口の調整を行うことができる。このため、前面部７の左右方向の両端部において壁面との隙間を埋めるフィラー部材等の間口調整のための部材を別途設けたり施工現場の間口に合わせて前板をカットしたりする必要がなく、前面部７の構造の簡略化を図ることができるとともに、良好な施工性を得ることができる。さらに、フィラー部材等が不要となることから、前面部７における目地を少なくすることが可能となり、外観上スッキリとした印象を得ることができる。また、間口調整に関しては、取付部４０の左右方向の幅を広くして挟持空間５０の左右方向の寸法を長くすることで、間口調整の調整幅を広くすることができる。
【０１１９】
また、本実施形態のライニングユニット１においては、前板２１および端前板２２が、左右方向のスライド移動によって着脱可能に設けられている。このような構成によれば、前板２１および端前板２２を容易に取り外すことができるので、良好なメンテナンス性を得ることができる。また、前板２１および端前板２２を取り付ける際、各板を横方向にスライドさせて左側壁面３または右側壁面４に押し当てることにより、設置現場における間口の大きさに自動的に対応することが可能となる。これにより、前板２１および端前板２２の取付け作業性を向上することができる。
【０１２０】
また、前板２１および端前板２２が横方向のスライド移動によって着脱される構成によれば、前板２１および端前板２２の上側における天板１５との間のクリアランス、つまり前板２１および端前板２２それぞれの上側面２１ａ，２２ａと天板１５の下板面１５ｂとの間のクリアランスを可及的に小さくすることができる。
【０１２１】
例えば、天板１５の下側に位置する所定の係止部に対して前板２１および端前板２２が上側から引っ掛けられることにより支持される構成の場合、前板２１等の着脱に際し、前板２１等の上側において天板１５との間に前板２１等を上下に移動させるためのスペースが必要となる。このような場合、天板１５と前板２１等との間のクリアランスが大きくなって意匠性が低下したり、天板１５と前板２１等との間のスペースを塞ぐ部材が別途必要となったりする。
【０１２２】
この点、本実施形態のような前板２１および端前板２２についての横スライド構造によれば、前板２１等の上側において前板２１等の着脱用のスペースが不要となるため、前板２１等を天板１５に可及的に近接させることが可能となる。これにより、天板１５と前板２１等との間のクリアランスを極力小さくすることができ、外観上スッキリとした印象を得ることができる。
【０１２３】
また、本実施形態のライニングユニット１においては、前板２１および端前板２２が取外し操作可能に設けられた構成において、板支持体３０がその一部を棚部として機能させるように構成されている。このような構成によれば、ライニングユニット１の内部のスペースをトイレの備品やトイレ掃除のためのトイレ用品等の収納スペースとして有効活用することができる。
【０１２４】
特に、板支持体３０が床面２から縁が切り離された部材であるため、板支持体３０の一部である下水平部３２を棚として利用することで、床面２に直接トイレ用品等を置く場合と比べて、トイレ室内の環境面や衛生面の向上を図ることができる。また、下水平部３２は本体板部３２ａと側縁板部３２ｂ等とからトレイ状に構成されていることから、下水平部３２上に置いた物の落下を防止することができる。
【０１２５】
以上のように実施形態を用いて説明した本発明に係るライニングユニットは、上述した実施形態に限定されず、本発明の趣旨に沿う範囲で、種々の態様を採用することができる。
【０１２６】
上述した実施形態においては、天板１５や前板２１等を設置するための浮部材として、左右一対の板支持体３０が設けられているが、このような構成に限定されるものではない。浮部材としては、一体の部材であってもよく、また、３つ以上の部材が設けられてもよい。また、上述した実施形態では、板支持体３０は、後壁面５に固定されているが、左側壁面３または右側壁面４に固定されてもよい。板支持体３０を固定する壁面は、設置現場における壁面の補強構造等に応じて適宜選択される。
【０１２７】
また、上述した実施形態においては、前板２１および端前板２２は、天板１５に設けられた取付部４０により天板１５に吊下げ支持されているが、例えば、板支持体３０に前板２１および端前板２２を支持するための取付部を設けてもよい。ただし、上述のとおり前板２１や端前板２２の支持位置について高い自由度を得る観点等からは、天板１５に取付部４０を設けた構成の方が好ましい。
【０１２８】
また、上述した実施形態においては、前板２１用の取付部４０Ａが有するストッパ板部４４は、係止片部５１の挟持空間５０を形成するための支持部材４２とは別体の部材により構成されているが、係止片部５１を当接させる当接支持部は、屈曲した板状部材である支持部材４２の一部として設けられてもよい。
【０１２９】
また、上述した実施形態においては、端前板２２が前板２１の右側のみに設けられた２分割の構造が採用されているが、前面部７の構成はこれに限定されるものではない。前面部７の構成としては、例えば、前板２１の左側のみに端前板２２が設けられた構造であってもよく、また、前板２１の左右両側に端前板２２が設けられた３分割の構造であってもよい。前板２１の左側に設けられる端前板２２は、例えば、右側に設けられた端前板２２と左右対称な構成として設けられる。３分割の構造とした場合、２分割の構造と比べて、間口の左右両端から間口調整を行うことができるので、間口調整の調整幅を更に広くすることができる。
【０１３０】
また、上述した実施形態においては、互いの一部を前後方向に重複させる前板２１および端前板２２について、前板２１が端前板２２の前側に位置するが、これらの板同士の前後関係は逆であってもよい。
【０１３１】
また、上述した実施形態においては、前板２１および端前板２２の両方の取付構造として、左右方向のスライド移動により着脱が可能な取付構造が採用されているが、かかる取付構造は、前板２１および端前板２２いずれか一方のみについて採用されてもよい。また、前板２１および端前板２２の両方が取外し操作可能に設けられているが、前板２１および端前板２２のいずれか一方のみが取外し操作可能に設けられてもよい。
【０１３２】
また、上述した実施形態においては、板支持体３０において棚として用いられる部分は、下水平部３２の一段のみであるが、棚として用いられる後壁面５からの前方突設部としては、板支持体３０の補強も兼ねて複数段設けられてもよい。これにより、ライニングユニット１の内部空間における収納力を向上させることができる。
【符号の説明】
【０１３３】
１      ライニングユニット
２      床面
３      左側壁面
４      右側壁面
５      後壁面
８      大便器
１５    天板
１５ｂ  下板面
２１    前板
２２    端前板
２６    重複部
３０    板支持体（浮部材）
３２    下水平部（前方突設部）
３２ａ  本体板部（底部）
４０    取付部
４１    固定台部
４２    支持部材
４４    ストッパ板部（当接支持部）
５０    挟持空間
５１    係止片部（係止部）
【図１】
2017155443.tif 000003
【図２】
2017155443.tif 000004
【図３】
2017155443.tif 000005
【図４】
2017155443.tif 000006
【図５】
2017155443.tif 000007
【図６】
2017155443.tif 000008
【図７】
2017155443.tif 000009
【図８】
2017155443.tif 000010
【図９】
2017155443.tif 000011
【図１０】
2017155443.tif 000012
【図１１】
2017155443.tif 000013
【図１２】
2017155443.tif 000014
【図１３】
2017155443.tif 000015
【図１４】
2017155443.tif 000016
【図１５】
2017155443.tif 000017
【図１６】
2017155443.tif 000018
【図１７】
2017155443.tif 000019
【図１８】
2017155443.tif 000020
【図１９】
2017155443.tif 000021